(57)【要約】【課題】本発明はファンデーション下着に関し、通気性、伸縮性、フィット性に優れ、回復力、耐久性も抜群であり、夏期等の高温下においてむれや血行不良によるかゆみを生ぜず、軟化せずに使用や洗濯により品質が劣化したり、また装用時に締付力による圧迫感はなく、肌に食込み跡を生ぜず、塗布作業が不用であり、製品の製作工程が簡略化して製作効率の向上をはかろうとする。【解決手段】合成繊維糸および／または天然繊維糸のベース組織部編成用糸７により編成されるベース組織部８の片面に伸縮性と滑り止め性とを有する滑り止め組織部編成用糸９を所望ウェル、所望コースに縦編みした滑り止め組織部１０を片面に編成した滑り止め組織布６を下着本体１の所望位置に配列した。【選択図】図１
2005105427.tif 000002
【特許請求の範囲】
【請求項１】
合成繊維糸および／または天然繊維糸のベース組織部編成用糸により編成されるベース組織部の片面に伸縮性と滑り止め性とを有する滑り止め組織部編成用糸を所望ウェル、所望コースに縦編みした滑り止め組織部を片面に編成した滑り止め組織布を下着本体の所望位置に配列したことを特徴とするファンデーション下着。
【請求項２】
前記下着本体は、下着本体自体にブラジャー部が一体に組付けられるボディスーツであるか、ブラジャー部が下着本体自体に一体に組付けられるキャミソ−ル、ウェストニッパーの何れかであり、下着本体の後身頃部の背部、臀部、脇の下、ウェスト回り等の少なくとも何れかの所望位置の内面に前記滑り止め組織布が配列されたことを特徴とする請求項１に記載のファンデーション下着。
【請求項３】
前記下着本体は、下着本体自体にブラジャーの左右のカップ部を収容する凹部を下着本体自体の前身頃の胸部に形成したボディスーツであるか、ブラジャーが別体に組付けられるキャミソ−ルの何れかであり、下着本体の後身頃の背部、脇の下、ウェスト回り等の少なくとも何れかの所望位置の内面に前記滑り止め組織布が配列されたことを特徴とする請求項１に記載のファンデーション下着。
【請求項４】
前記下着本体は、ブラジャーであるか、または下着本体自体に組付けられるブラジャー部を含み、前記滑り止め組織布はバストのカップ部を取付けるバスト支持片、またはカップ部材を着脱可能に収容するポケット部、脇部等の少なくとも何れかの所望位置の内面に前記滑り止め組織布が配列された特徴とする請求項１,請求項２,請求項３に記載のファンデーション下着。
【請求項５】
前記下着本体は、下着本体自体にブラジャー部が一体に組付けられるボディスーツであるか、または下着本体自体にブラジャー部が一体に組付けられるキャミソールであるか、レッグホールを有するショーツ形式のガードル、または左右の足挿入筒部を下着本体自体の太股部に設けた形式のガードルであり、ウェスト回り、下腹、臀部、または下腹から臀部にかけて、レッグホールもしくは足挿入筒部の裾回り等の少なくとも何れかの所望位置の内面に前記滑り止め組織布が配列された特徴とする請求項１,請求項２,請求項３,請求項４に記載のファンデーション下着。
【請求項６】
前記滑り止め組織布は、長手方向に細長いリボン状に形成され、伸縮性が発揮されることを特徴とする請求項１,請求項２,請求項３,請求項４,請求項５に記載のファンデーション下着。
【請求項７】
前記滑り止め組織布は、長手方向に細長いリボン状に形成され、複数本が間隔をあけて略平行に配列されることを特徴とする請求項１,請求項２,請求項３,請求項４,請求項５,請求項６に記載のファンデーション下着。
【請求項８】
前記滑り止め組織布は、斜め方向に交互にジグザグ状に縫い付ける四点千鳥状に縫着して取付けられることを特徴とする請求項１,請求項２,請求項３,請求項４,請求項５,請求項６,請求項７に記載のファンデーション下着。
【請求項９】
前記ベース組織部編成用糸の糸が、非弾性糸で２２〜５６（ＤＴ）であるのに対して滑り止め組織部編成用糸の糸が、弾性糸で４４〜４７０（ＤＴ）であることを特徴とする請求項１,請求項２,請求項３,請求項４,請求項５,請求項６,請求項７,請求項８に記載のファンデーション下着。
【請求項１０】
前記ベース組織部編成用糸と滑り止め組織部編成用糸とにより編まれる滑り止め組織布のベース組織部編成用糸に対する滑り止め組織布の混率が、５０〜８０重量％であることを特徴とする請求項１,請求項２,請求項３,請求項４,請求項５,請求項６,請求項７,請求項８,請求項９に記載のファンデーション下着。
【請求項１１】
前記ベース組織部編成用縦糸は、ポリエステル繊維糸、ポリアミド繊維糸、ポリエチレン繊維糸、ポリプロピレン繊維糸、ポリビニールアルコール繊維糸、ポリアクリル繊維糸、ポリ塩化ビニール繊維糸よりなる合成樹脂繊維糸、および／または木綿、麻、絹、羊毛等の天然繊維糸の１種または２種の組み合わせにより形成されることを特徴とする請求項１,請求項２,請求項３,請求項４,請求項５,請求項６,請求項７,請求項８,請求項９,請求項１０に記載のファンデーション下着。
【請求項１２】
前記滑り止め組織部編成用糸は、ポリウレタン・フィラメント、または合成繊維糸に天然ゴムまたは合成ゴム等のゴムをデッピングしたものやゴムをコーティングするもの、さらにはゴム紐単体の何れかが用いられることを特徴とする請求項１,請求項２,請求項３,請求項４,請求項５,請求項６,請求項７,請求項８,請求項９,請求項１０,請求項１１に記載のファンデーション下着。
【発明の詳細な説明】
【技術分野】
【０００１】
本発明は、ファンデーション下着に関し、通気性に優れてむれやかゆみを覚えず、また不用意なずれ動きを防止し滑り止めが確実に行え、しかも装脱操作が容易であり、さらには軽量かつ爽快にフィット性が良く着用することができるものである。
【背景技術】
【０００２】
従来、特に女性が体形を整えるための下着としてファンデーション下着がある。このファンデーション下着には、例えば胸から胴回りに装用するブラジャーや下肢に装用するガードルがあり、ブラジャーとガードルとを一体にしたものとしてはボディスーツがあった。
【０００３】
そして、ブラジャーは、カップ部の下部周縁や肩ひもに、またガードルは、ウェストの開口部周縁、腹部、ヒップ部の下縁、両肢を挿入するレッグホールの両肢の挿入部分に位置する裾部等に、さらにはボディスーツではブラジャー部のカップ部の下部周縁や肩ひもに、またガードル部では、ウェストの開口部周縁、腹部、ヒップ部の下縁、両肢を挿入するレッグホールの両肢の付け根部分に位置する裾部等の人体に接する各整容部にそれぞれゴム、接着剤等の粘着体を塗布することにより肌との密着性をはかり、ずり上がりやずり下がり等のずれを防止し、しかもバストアップやヒップアップをはかるものがある。
【０００４】
また、股部を有し、人体にフィットさせて着用する例えばガードル、スパッツ、スポーツ用タイツ等の下半身用衣類のウェスト部分の裏側やレッグホールの両肢の付け根部分の裏側にゴムテープなどを装着することによりずり下がりを防止されていることは在来から知られている。
【特許文献１】実開平６−７６３０５号公報
【特許文献２】登録実用新案第３０６３３４２号公報
【発明の開示】
【発明が解決しようとする課題】
【０００５】
しかしながら、特許文献１に見られるように、特に女性が体形を整えるために装用する例えばブラジャー、ガードル、ボディスーツ等のファンデーション下着の人体に密接する整容部にゴム等の粘着体を塗布することにより肌との密着性をはかり、ずり上がりやずり下がり等のずれを防止するようにしたものは、特に夏期などの高温下において使用者が汗をかくと、むれによりかゆみを生ずる。また、粘着体が高温度により軟化したり、長時の使用や洗濯を繰り返し行うことにより品質が劣化してファンデーション下着の整容部から脱落し、ずれ防止機能が損なわれる。しかも、ファンデーション下着の整容部個所への粘着体の塗布作業を必要とするので、製品の製作工程が増大し、製作効率が低いものであった。
【０００６】
また、特許文献２に見られるように、人体にフィットさせて着用する例えばガードル、スパッツ、スポーツ用タイツ等の股部を有する下半身用衣類のウェスト部分の裏面やレッグホールの両肢の付け根部分の裏側にゴムテープを装着することによりずり下がりを防止したものはゴムテープの締付力により圧迫感を感じたり、肌にゴムテープの装着個所の厚みが厚くなり、装用時に違和感を覚えたり、スカート、ズボン等の外衣の上からのラインが目立ち、不体裁になるという不都合があった。
【０００７】
本発明は上記従来の不都合を解決し、通気性、伸縮性、フィット性に優れ、回復力、耐久性も抜群であり、夏期等の高温下においてむれや血行不良によるかゆみを生ぜず、しかも粘着体を単に組織布に塗布するのとは異なり軟化することなく長時の使用や洗濯を繰り返して行っても品質が劣化したり、滑り止め材が脱落することなく、またゴム紐等とは異なり装用時に締付力による圧迫感はなく、肌に食込み跡を生ぜず、そのうえ塗布作業が不用になり、製品の製作工程を簡略化して製作効率の向上がはかれ、さらには製作コストが安価なファンデーション下着を提供しようとする。
【課題を解決するための手段】
【０００８】
本発明は上記課題に鑑みなされ請求項１に記載の発明は、合成繊維糸および／または天然繊維糸のベース組織部編成用糸により編成されるベース組織部の片面に伸縮性と滑り止め性とを有する滑り止め組織部編成用糸を所望ウェル、所望コースに縦編みした滑り止め組織部を片面に編成した滑り止め組織布を下着本体の所望位置に配列したことを特徴とするという手段を採用した。
【０００９】
また本発明の請求項２に記載の発明は、請求項１において前記下着本体は、下着本体自体にブラジャー部が一体に組付けられるボディスーツであるか、ブラジャー部が下着本体自体に一体に組付けられるキャミソ−ル、ウェストニッパーの何れかであり、下着本体の後身頃部の背部、臀部、脇の下、ウェスト回り等の少なくとも何れかの所望位置の内面に前記滑り止め組織布が配列されたことを特徴とするという手段を採用した。
【００１０】
また本発明の請求項３に記載の発明は、請求項１において前記下着本体は、下着本体自体にブラジャーの左右のカップ部を収容する凹部を下着本体自体の前身頃の胸部に形成したボディスーツであるか、ブラジャーが別体に組付けられるキャミソ−ルの何れかであり、下着本体の後身頃の背部、脇の下、ウェスト回り等の少なくとも所望位置の内面に前記滑り止め組織布が配列されたことを特徴とするという手段を採用した。
【００１１】
また本発明の請求項４に記載の発明は、請求項１,請求項２,請求項３において前記下着本体は、ブラジャーであるか、または下着本体自体に組付けられるブラジャー部を含み、前記滑り止め組織布はバストのカップ部を取付けるバスト支持片、またはカップ部材を着脱可能に収容するポケット部、脇部等の少なくとも何れかの所望位置の内面に前記滑り止め組織布が配列された特徴とするという手段を採用した。
【００１２】
また本発明の請求項５に記載の発明は、請求項１,請求項２,請求項３,請求項４において前記下着本体は、下着本体自体にブラジャー部が一体に組付けられるボディスーツであるか、または下着本体自体にブラジャー部が一体に組付けられるキャミソールであるか、レッグホールを有するショーツ形式のガードル、または左右の足挿入筒部を下着本体自体の太股部に設けた形式のガードルであり、ウェスト回り、下腹、臀部、または下腹から臀部にかけて、レッグホールもしくは足挿入筒部の裾回り等の少なくとも何れかの所望位置の内面に前記滑り止め組織布が配列された特徴とするという手段を採用した。
【００１３】
また本発明の請求項６に記載の発明は、請求項１,請求項２,請求項３,請求項４,請求項５において前記滑り止め組織布は、長手方向に細長いリボン状に形成され、伸縮性が発揮されたことを特徴とするという手段を採用した。
【００１４】
また本発明の請求項７に記載の発明は、請求項１,請求項２,請求項３,請求項４,請求項５,請求項６において前記滑り止め組織布は、長手方向に細長いリボン状に形成され、複数本が間隔をあけて略平行に配列されることを特徴とするという手段を採用した。
【００１５】
また本発明の請求項８に記載の発明は、請求項１,請求項２,請求項３,請求項４,請求項５,請求項６,請求項７において前記滑り止め組織布は、斜め方向に交互にジグザグ状に縫い付ける四点千鳥状に縫着して取付けられることを特徴とするという手段を採用した。
【００１６】
また本発明の請求項９に記載の発明は、請求項１,請求項２,請求項３,請求項４,請求項５,請求項６,請求項７,請求項８において前記ベース組織部編成用糸の糸が、非弾性糸で２２〜５６（ＤＴ）であるのに対して滑り止め組織部編成用糸の糸が、弾性糸で４４〜４７０（ＤＴ）であることを特徴とするという手段を採用した。
【００１７】
また本発明の請求項１０に記載の発明は、請求項１,請求項２,請求項３,請求項４,請求項５,請求項６,請求項７,請求項８,請求項９において、前記ベース組織部編成用糸と滑り止め組織部編成用糸とにより編まれる滑り止め組織布のベース組織部編成用糸に対する滑り止め組織布の混率が、５０〜８０重量％であることを特徴とするという手段を採用した。
【００１８】
また本発明の請求項１１に記載の発明は、請求項１,請求項２,請求項３,請求項４,請求項５,請求項６,請求項７,請求項８,請求項９,請求項１０において前記ベース組織部編成用縦糸は、ポリエステル繊維糸、ポリアミド繊維糸、ポリエチレン繊維糸、ポリプロピレン繊維糸、ポリビニールアルコール繊維糸、ポリアクリル繊維糸、ポリ塩化ビニール繊維糸よりなる合成樹脂繊維糸、および／または木綿、麻、絹、羊毛等の天然繊維糸の１種または２種の組み合わせにより形成されることを特徴とするという手段を採用した。
【００１９】
また本発明の請求項１２に記載の発明は、請求項１,請求項２,請求項３,請求項４,請求項５,請求項６,請求項７,請求項８,請求項９,請求項１０,請求項１１において前記滑り止め組織部編成用糸は、ポリウレタン・フィラメント、または合成繊維糸に天然ゴムまたは合成ゴム等のゴムをデッピングしたものやゴムをコーティングするもの、さらにはゴム紐単体の何れかが用いられることを特徴とするという手段を採用した。
【発明を実施するための最良の形態】
【００２０】
以下、本発明の実施の形態の具体例を図面に従って説明する。
【００２１】
図１は本発明のファンデーション下着をボディスーツに適用した実施形態１を示し、別体に形成されるブラジャーを胸部に設ける凹部に組付けた状態の正面図、図２は同じくブラジャーをボディスーツの凹部から取り外した状態の正面図、図３は同じく背面図、図４は同じく本実施形態１に使用されるブラジャーの一例を示す正面図、図５は同じくブラジャーの背面図、図６は同じく本実施形態１で使用される滑り止め組織布の一例を示す組織図、図７は同じく下着本体への滑り止め組織布の取付け状態の一例を示す拡大正面図、図８は同じく滑り止め組織布の伸長状態の一例を示す拡大正面図、図９はボディスーツの他の変形例を示す正面図、図１０は同じく背面図である。
【００２２】
本実施形態１において、１は下着本体であり、この下着本体１は、本実施形態１ではショーツ形式のガードル部１Ａと、このガードル部１Ａの上部に一体に形成される略筒状の胴部締付部１Ｂとから形成されるボディスーツＡに適用される。このボディスーツＡのガードル部１Ａと胴部締付部１Ｂとは、例えば通気性、吸湿性、保温性、柔軟性等を有する伸縮布または非伸縮布を体形、サイズにもとずいて部所毎に裁断された数個の構成片を縫着する等して組付けて形成される。
【００２３】
そして、このボディスーツＡでは、別体に形成されるブラジャーＢの左右のカップ部３,３を装用時に収容する凹部２を下着本体1としてのボディスーツＡ自体の前身頃４の胸部に形成している。この凹部２は、本実施形態１では、図１および図２に示するように略中央に正面山形の区分片２ａを断設して略半円状の左右２つの凹部２,２に区分したものが形成されているが、これに限ることなく図には示さないが正面山形の区分片２ａがない正面略Ｕ字状の凹部２に形成されたものでもよい。
【００２４】
また、ボディスーツＡのガードル部１Ａの股下部５は例えば適宜数個の雄雌のスナップ、ホック、ボタンとボタン穴、雄状の係止鉤群と雌状の係止ループよりなる面ファスナー等の係止部品５ａを介して着脱可能に分離されることにより被着者がボディスーツＡを装着する装着操作や脱ぐ場合の操作を簡便になしている。
【００２５】
６は下着本体１の内面に配列される滑り止め組織布であり、この滑り止め組織布６は図６に示すように合成繊維糸および／または天然繊維糸のベース組織部編成用糸７により編成されるベース組織部８の片面に伸縮性と滑り止め性とを有する滑り止め組織部編成用糸９をウェル方向Ｕに所望ウェル、コース方向Ｔに所望コースに縦編みした滑り止め組織部１０を片面に編成している。図示する実施形態では、ウェル方向Ｕ（列方向）に配列される４本の箴毎に配索される同種にしてかつ２本１組のベース組織部編成用糸７,７・・・にて想像線Ｐの囲みにて編成される４コースアトラスのベース組織部８の表面に、想像線の囲みＱ,Ｑ′内に描いたように６コースアトラスのアトラス模様を組合わして編成する全体が菱形をなす編目組織柄Ｇ１と滑り止め組織部１０,１０の単位体積あたりの露呈密度が高い編目組織柄Ｇ２とを形成している。なお、図６においてＭ１は閉目であり、Ｍ２は開目である。
【００２６】
そして、滑り止め組織布６のベース組織部編成用縦糸７は、例えばポリエステル繊維糸、ポリアミド繊維糸、ポリエチレン繊維糸、ポリプロピレン繊維糸、ポリビニールアルコール繊維糸、ポリアクリル繊維糸、ポリ塩化ビニール繊維糸よりなる合成樹脂繊維糸、および／または木綿、麻、絹、羊毛等の天然繊維糸の１または２種の組み合わせにより形成される。
【００２７】
また前記滑り止め組織部編成用糸９は、例えばポリウレタン・フィラメント、または合成繊維糸に天然ゴムまたは合成ゴム等のゴムをデッピングしたものやゴムをコーティングするもの、さらにはゴム紐単体の何れかが用いられ、滑り止め性を発揮するほか伸縮性を発揮する。
【００２８】
そして、本実施形態１の滑り止め組織布６は、前記ベース組織部編成用糸７の糸が、非弾性糸で２２〜５６（ＤＴ）であるのに対して滑り止め組織部編成用糸９の糸が、弾性糸で４４〜４７０（ＤＴ）であり、前記ベース組織部編成用糸７と滑り止め組織部編成用糸９とにより編まれる滑り止め組織布６のベース組織部編成用糸７に対する滑り止め組織部編成用糸９の混率が、５０〜８０重量％である。
【００２９】
また、滑り止め組織布６は、使用時には長手方向Ｉに細長く形成され、本実施形態１では、下着本体１としてのボディスーツＡの例えば図３に示すように後身頃１１の背部１２、また、臀部１３、さらには図には示さないが前述のようにボディスーツＡの前身頃４の胸部に設ける凹部２の上縁部内面、脇の下１４、ウェスト回り１５等の少なくとも何れかの所望位置の内面、または凹部２に組付けられるブラジャーＢにおいては、図４、図５に示すように例えばバストのカップ部３,３を取付ける左右のバスト支持片１６,１６、もしくはカップ部材１７,１７を着脱可能に収容するポケット部１８,１８、左右の脇部１９,１９、さらには図には示さないが支持バンド体２０の下縁等の少なくとも所望位置の内面に配列される。
【００３０】
この時、滑り止め組織布６は、本実施形態１では数ｍｍ〜数ｃｍ、例えば５ｍｍ〜２ｃｍ程度の幅のリボン状のものを複数本、例えば３本が間隔ｋをあけて略平行に配列されることによりそれぞれ長手方向Ｉに伸縮性が発揮される。また、滑り止め組織布６は、設置方向がボディスーツＡでは図１,図２,図３に示すように横方向に配列され、また、ブラジャーＢでは図５に示すように縦方向に配列されているが、この設置方向および設置幅は用途に応じて自由に選択することができ、しかも形状の変更は容易である。また、前記間隔ｋは数ｍｍ〜数ｃｍ本実施形態１では例えば５ｍｍ〜２ｃｍ程度に設定されるが増減変更は自由に行える。
【００３１】
そして、この滑り止め組織布６を下着本体１としてのボディスーツＡおよびブラジャーＢに取付けるのには、例えば図７、図８に示すように斜め方向に交互にジグザグ状に下着本体１の所望の内面に縫い付けるという四点千鳥状に取付けられることにより滑り止め組織布６は幅方向Ｗには伸縮性が発揮されずに長手方向Ｉに伸縮性が発揮される。
【００３２】
すなわち、滑り止め組織布６を例えば斜め方向に交互にジグザグ状に下着本体１の所望位置の内面に縫い付けるという四点千鳥状に縫着して取付けられることにより、図８に示すように、滑り止め組織布６自体は長手方向Ｉに伸縮するが、滑り止め組織布６を下着本体１に縫い着ける縫付け糸２１は伸長しないため、滑り止め組織布６の幅方向Ｗにおける縫付け点ａ,ｂ間、ｂ,ｃ間、ｃ,ｄ間、ｄ,ｅ間・・・は伸長しないが、滑り止め組織布６の長手方向Ｉでは縫付け糸２１の縫付け点ａ,ｃ間、ｂ,ｄ間、ｄ,ｆ間・・・はそれぞれ図８の矢印の方向に伸長することになる。
【００３３】
そして、本実施形態１のボディスーツＡにおいては、図３に示すようにボディスーツＡの背部１２や臀部１３に配列される滑り止め組織布６により被着者の背中の屈伸運動に伴ってボディスーツＡが伸縮する場合に、滑り止めが発揮される。また、図には示さないがボディスーツＡの脇の下１４,１４、ウェスト回り１５等に滑り止め組織布６が配列された場合には滑り止め組織布６が長手方向Ｉに伸縮性が発揮されることにより脇部の贅肉を引き締めて体形の補正が行えるほか、図９および図１０に示す本発明のボディスーツＡの他の変形例のようにボディスーツＡの前身頃４の腹部２２や後身頃１１の背中部２３に間隔ｋをあけて３列の滑り止め組織布６を横方向に配列したことにより被着者の腹や背中の贅肉を引き締めて体形の補正を行うとともに当該部所での屈伸運動や捻回運動に対応して滑り止め組織布６が伸縮性を発揮し、ボディスーツＡの滑り止めがはかれる。
【００３４】
また、ボディスーツＡの装用時に胸部に設けた凹部２内に組付けられるブラジャーＢは、例えばバストのカップ部３,３を取付ける左右のバスト支持片１６,１６、またはカップ部材１７,１７を着脱可能に収容するポケット部１８,１８にバストの曲線に沿ってバストを左右から包み込むように、しかも左右の脇部１９,１９等の所望位置の内面に、複数本、例えば本実施形態１では３本の滑り止め組織布６が間隔ｋをあけて略平行に縦に配列されることにより、この滑り止め組織布６はそれぞれ長手方向Ｉに伸縮性が発揮されるため、バストのカップ部３,３を取付けるバスト支持片１６,１６やカップ部材１７,１７を着脱可能に収容するポケット部１８,１８は滑り止め組織布６が長手方向Ｉに縦に伸縮性が発揮されてバストを中心側に、かつ上側に引き寄せることによりバスト・アップがはかれるとともにバストが形崩れすることなく体形を整えることができる。また、ブラジャーＢの脇部１９,１９の内面に配列された滑り止め組織布６がそれぞれ長手方向Ｉに伸縮性が発揮されることにより、脇部１９,１９の贅肉を引き締めて体形の補正を行えるとともに当該部所での屈伸運動や捻回運動に対して滑り止め組織布６の伸縮性が発揮されて滑り止めがはかれる。
【００３５】
本実施形態１は以上の構成からなり、下着本体１としてのボディスーツＡの所望位置、すなわち本実施形態１では図１,図２,図３に示すように後身頃１１の背部１２、臀部１３、脇の下１４、ウェスト回り１５等の内側に、合成繊維糸および／または天然繊維糸よりなるベース組織部編成用糸６により編成されるベース組織部８の片面に伸縮性と滑り止め性とを有する滑り止め組織部編成用糸９をウェル方向Ｕに所望ウェル、コース方向Ｔに所望コースに縦編みした滑り止め組織布６を細長いリボン状にした状態で３本の滑り止め組織布６を間隔ｋをあけて横方向に配列されているので、被着者の背中の屈伸運動に伴って背部１２に横方向に配列されている３本の滑り止め組織布６が長手方向Ｉに伸縮して滑り止めが確実に発揮されるとともに臀部１３に配列された３本の滑り止め組織布６が長手方向Ｉに伸縮して滑り止めとヒップアップがはかれる。
【００３６】
この時、本実施形態の滑り止め組織布６は、滑り止め組織部１０の滑り止め組織部編成用糸９,９・・・は、ポリウレタン・フィラメント、または合成繊維糸に天然ゴムまたは合成ゴム等のゴムをデッピングしたものやゴムをコーティングしたものを用いてベース組織部８の片面に伸縮性と滑り止め性とを有する滑り止め組織部編成用糸９,９・・・をウェル方向Ｕに所望ウェル、コース方向Ｔに所望コースに縦編みした編目組織柄Ｇ１,Ｇ２が形成されるので、滑り止め組織部編成用糸９,９・・・が充分な滑り止め機能と伸縮性とを発揮する。
【００３７】
また、ボディスーツＡの脇の下１４、ウェスト回り１５等に配列された滑り止め組織布６が長手方向Ｉに伸縮性が発揮されることにより被着者の脇部、ウェスト部、腹部の贅肉を引き締めて体形の補正が行われるとともに当該部所での屈伸運動や捻回運動に対応して滑り止め組織布６が伸縮性を発揮し、確実に滑り止めがはかれる。こうして、ボディスーツＡの装用時のずれ動きを防止することができる。
【００３８】
この時、下着本体１としてのボディスーツＡおよびブラジャーＢに滑り止め組織布６を取付けるのに、図７および図８に示すように例えば斜め方向に交互にジグザグ状に下着本体１の所望の内面に四点千鳥状に縫着して取付けられるので、図７に示すように、滑り止め組織布６自体は幅方向Ｗにおける縫付け点ａ,ｂ間、ｂ,ｃ間、ｃ,ｄ間、ｄ,ｅ間・・・は伸長しないが、滑り止め組織布６の長手方向Ｉでは縫付け糸２１の縫付け点ａ,ｃ間、ｂ,ｄ間、ｄ,ｆ間・・・はそれぞれ図８の矢印の方向に伸長して伸縮性が確実に発揮される。
【００３９】
しかも、滑り止め組織布６は、図示するように複数本、例えば３本が間隔ｋをあけて略平行に配列されるので、被着者がボディスーツＡを装着した場合に、滑り止め組織布６の伸縮力が分散されて過度の強い締付力や圧迫が被着者の身体に１個所に集中して加わらずに３本の滑り止め組織布６の伸縮力が平均して被着者の身体に加わるため、血行は促進されるとともに平行して配列される３本の滑り止め組織布６の揉み効果により身体に刺激が有効に加わり、脂肪の燃焼効率を高めることができる。
【００４０】
また、本実施形態１のボディスーツＡでは、装用時にボディスーツＡの胸部に設けた凹部２内に被着者のバスト・サイズに合わせて着用されるブラジャーＢの左右のカップ部３,３が収容されて組み合わせ使用が行われるが、このブラジャーＢには、例えばカップ部３,３が取付けられた左右のバスト支持片１６,１６、またはカップ部材１７,１７を着脱可能に収容するためのポケット部１８,１８にバストの曲線に沿ってバストを包み込むように、複数本、例えば本実施形態１では３本の滑り止め組織布６が間隔ｋをあけて略平行に縦に配列されているので、この滑り止め組織布６により滑り止めがなされるとともに滑り止め組織布６は長手方向Ｉに伸縮性が発揮されバストを中心側に、かつ上側に引き寄せてバスト・アップがはかれる。しかも滑り止め組織布６が長手方向Ｉに伸縮性が発揮されることによりバストが形崩れすることなく体形を整えることができる。さらには、３本の滑り止め組織布６の伸縮力が被着者の身体に１個所に集中して過度の強い締付力や圧迫が加わらずに分散されるため、血行は促進されるとともに平行して配列される３本の滑り止め組織布６の揉み効果により身体に刺激が有効に加わり、脂肪の燃焼効率を高めることができる。
【００４１】
また、ブラジャーＢの脇部１９,１９等の所望位置の内面にも、例えば本実施形態１では３本の滑り止め組織布６が間隔ｋをあけて略平行に配列されているので、この滑り止め組織布６はそれぞれ長手方向Ｉに伸縮性が発揮されるため、脇の贅肉は引き締められて体形の補正が行われるとともに当該部所での屈伸運動や捻回運動に対して滑り止め組織布６が伸縮性を発揮し、滑り止めがはかられ、ブラジャーＢが不用意にずれ動くのが防止される。
【００４２】
さらに、本実施形態の滑り止め組織布６は、ベース組織部編成用糸６の糸が、非弾性糸で２２〜５６（ＤＴ）であるのに対して滑り止め組織部編成用糸９の糸が、弾性糸で４４〜４７０（ＤＴ）であり、しかもベース組織部編成用糸７と滑り止め組織部編成用糸９により編まれる滑り止め組織布６のベース組織部編成用糸７に対する滑り止め組織部編成用糸９の混率が、５０〜８０重量％であり、滑り止め組織部編成用糸９の糸径は、ベース組織部編成用糸７の糸径よりも太くされ、しかも前述のように滑り止め組織布６の一面にウェル方向Ｕに所望ウェル、コース方向Ｔに所望コースに縦編みした滑り止め組織布６の片面に編成した滑り止め組織布６の滑り止め組織部編成用糸９が形成する編目組織柄Ｇ１,Ｇ２により充分な滑り止め機能が発揮されるのと、滑り止め組織布６の他面は、生地本来の風合い、例えば肌ざわり、滑らかさ、しなやかさ、光沢などを発揮されるとともに、滑り止め組織布６は通気性と発汗性に優れ、むれやかゆみは一掃され、軽量であり、さらには引っ張り、圧縮、曲げ等に対して変形や形崩れがなく、充分な強度が発揮される。
【００４３】
また、本実施形態１の滑り止め組織布６を用いた場合には、下着本体１自体の仕上がり状態は薄くなるので、装用時に身体に密着して爽快に装用を行うことができる。そして、アウター・ウェアーの外部に下着本体１自体の輪郭線の浮き出しがなくなり、すっきりした形態になり外観的に体裁が良く、保温性にも優れる。
【００４４】
図１１および図１２は本発明の実施形態２である。
【００４５】
この実施形態では、下着本体１は、別体に形成されるブラジャーＢの左右のカップ部３,３を収容する凹部２を前身頃４の胸部に形成したキャミソールＣに適用した場合が示される。
【００４６】
そして、前記実施形態１では、ガードル部１Ａが胴部締付部１Ｂと一体に形成されているが、この実施形態２のキャミソールＣではガードル部１Ａを設けずに、下着本体１としてのキャミソールＣの所望位置、すなわち後身頃１１の背部１２、脇の下１４等の内側に、合成繊維糸および／または天然繊維糸よりなるベース組織部編成用糸７により編成されるベース組織部８の片面に伸縮性と滑り止め性とを有する滑り止め組織部編成用糸９をウェル方向Ｕに所望ウェル、コース方向Ｔに所望コースに縦編みした滑り止め組織布６を細長いリボン状に形成した状態で複数本、本実施形態１では図１２に示すように３本の滑り止め組織布６を間隔ｋをあけて３本が内面に配列されているので、被着者の背中の屈伸運動に伴って背部１２に横方向に配列されている３本の滑り止め組織布６が長手方向Ｉに伸縮することにより滑り止めが確実に発揮される。また、脇の下１３に配列された滑り止め組織布６が長手方向Ｉに伸縮性が発揮されることにより脇部の贅肉を引き締めて体形の補正が行われるとともに当該部所での屈伸運動や捻回運動に対応して滑り止め組織布６が伸縮性を発揮し、確実に滑り止めがはかれ、キャミソールＣのずれ動きは防止される点が前記実施形態１と異なる構成・作用であるほかは前記実施形態１と同様の構成を採用し、同様の作用を発揮する。
【００４７】
図１３、図１４は本発明の実施形態３であり、この実施形態では、下着本体１は、被着者の胴部に巻き付けるウェストニッパーＤである。
【００４８】
そして、この実施形態３では、下着本体１としてのウェストニッパーＤの所望位置、すなわち後身頃１１の背部１２、脇の下１４等の内側に、合成繊維糸および／または天然繊維糸よりなるベース組織部編成用糸６により編成されるベース組織部８の片面に伸縮性と滑り止め性とを有する滑り止め組織部編成用糸９をウェル方向Ｕに所望ウェル、コース方向Ｔに所望コースに縦編みした細長いリボン状の滑り止め組織布６を本実施形態３では図１４に示すように３本、間隔ｋをあけて内面に配列されているので、被着者の背中の屈伸運動に伴って背部１２に横方向に配列されている３本の滑り止め組織布６が長手方向Ｉに伸縮して滑り止めが確実に発揮される。また、脇の下１４に配列された滑り止め組織布６が長手方向Ｉに伸縮性が発揮されることにより被着者の脇部の贅肉を引き締めて体形の補正が行われるとともに当該部所での屈伸運動や捻回運動に対応して滑り止め組織布６が伸縮性を発揮し、確実に滑り止めがはかれ、ウェストニッパーＤのずれ動きは防止される点が前記実施形態１と異なる構成・作用であるほかは前記実施形態１と同様の構成を採用し、同様の作用を発揮する。
【００４９】
図１５および図１６は本発明の実施形態４である。
【００５０】
この実施形態４では、下着本体１は、ガードルＥであり、このガードルＥは左右の足挿入筒部４０,４０を下着本体１自体の太股部に設けた形式のものである。
【００５１】
そして、本実施形態４では、下着本体１の所望位置、すなわち前身頃４の下腹４１から後身頃１１の臀部１３にかけて、または足挿入筒部４０,４０の裾回りの内面にベース組織部編成用糸６により編成されるベース組織部８の片面に伸縮性と滑り止め性とを有する滑り止め組織部編成用糸９をウェル方向Ｕに所望ウェル、コース方向Ｔに所望コースに縦編みした細長いリボン状の滑り止め組織布６を、図示するように３本間隔ｋをあけて配列しているので、３本の滑り止め組織布６が長手方向Ｉに伸縮して被着者の下腹と臀部の贅肉が引き締められて体形の補正が行われるともに滑り止めが発揮され、ガードルＥのずれ動きは防止される。
【００５２】
また、本実施形態４では、ガードルＥの前身頃４の下腹４１から後身頃１１の臀部１３にかけて、または足挿入筒部４０,４０の裾回りの内面に滑り止め組織布６を配列しているが、この滑り止め組織布６の配列個所は、上記個所に限ることなく、例えばウェスト回り１５に配列されることにより、ウェストの贅肉を引き締めて体形の補正を行うようにすることもできる。また、本実施形態４のガードルＥでは股下部５をメッシュ材４２により形成し、また前身頃４側の足挿入筒部４０,４０の付根をスリット状に開設してメッシュ材４２′により塞ぐことにより通気性を確保してむれを防止するようにしたほかは前記実施形態１と同様の構成、作用がある。
【００５３】
また、図１ないし図１０に示すように上記実施形態１では、下着本体１は、別体に形成されるブラジャーＢの左右のカップ部３,３を収容する凹部２を前身頃４の胸部に形成したボディスーツＡであるほか、また図１１および図１２に示すように下着本体１は、別体に形成されるブラジャーＢの左右のカップ部３,３を収容する凹部２を前身頃４の胸部に形成したキャミソールＣであり、このボディスーツＡとキャミソールＣとの所望位置の内面に複数本の滑り止め組織布６を配列するようにしているが、本発明はこれに限ることなく、例えば図には示さないが下着本体１はブラジャー部が一体に組付けられるボディスーツであったり、下着本体１はブラジャー部が一体に組付けられるキャミソールであってもよい。
【００５４】
また、図１５および図１６に示す実施形態４では、下着本体１が、左右の足挿入筒部４０,４０を下着本体１自体の太股部に設けた形式のガードルＥであり、このガードルＥの所望位置の内面には複数本の滑り止め組織布６を平行に配列しているが、下着本体１はこれに限ることなく、レッグホールを左右に有するショーツ形式のガードルの所望位置、例えば図には示さないが下腹から臀部にかけてやレッグホールの口縁の内面に滑り止め布６を配列する場合も本発明の適用範囲である。
【００５５】
また、図示する上記各実施形態では、３本の細長い滑り止め組織布６を配列しているが、この滑り止め組織布６は形状の変更および設置個数の増減変更、設置向きは図示するものに限らず、自由に行える。
【産業上の利用可能性】
【００５６】
通気性、伸縮性が抜群で滑り止めに優れ、フィット性、回復力、耐久性があり、夏期等の高温下においてむれや血行不良によるかゆみを生ぜず、しかも軟化せずに長時の使用や洗濯を繰り返して行っても品質の劣化がなく、滑り止め材が脱落することなく、また装用時に締付力による圧迫感はなく、肌に食込み跡を生ぜず、そのうえ塗布作業が不用になる等、製品の製作工程を簡略化して製作効率の向上がはかれるという用途、および分野に適用される。
【図面の簡単な説明】
【００５７】
【図１】図１は本発明のファンデーション下着をボディスーツに適用した実施形態１を示し、別体に形成されるブラジャーを胸部に設ける凹部に組付けた状態の正面図である。
【図２】図２は同じく図２は同じくブラジャーをボディスーツの凹部から取り外した状態の正面図である。
【図３】図３は同じく図３は同じく背面図である。
【図４】図４は同じく本実施形態１に使用されるブラジャーの一例を示す正面図である。
【図５】図５は同じくブラジャーの背面図である。
【図６】図６は同じく本実施形態１で使用される滑り止め組織布の一例を示す組織図である。
【図７】図７は同じく下着本体への滑り止め組織布の取付け状態の一例を示す拡大正面図である。
【図８】図８は同じく滑り止め組織布の伸長状態の一例を示す拡大正面図である。
【図９】図９はボディスーツの他の変形例を示す正面図である。
【図１０】図１０は同じく背面図である。
【図１１】本発明の実施形態２を示し、下着本体をキャミソールに適用した正面図である。
【図１２】同じくキャミソールの背面図である。
【図１３】本発明の実施形態３を示し、下着本体をウェストニッパーに適用した正面図である。
【図１４】同じくウェストニッパーの背面図である。
【図１５】本発明の実施形態４を示し、下着本体をガードルに適用した正面図である。
【図１６】同じくガードルの背面図である
【符号の説明】
【００５８】
１    下着本体
２    凹部
３    カップ部
４    前身頃
５    股下部
６    滑り止め組織布
７    ベース組織部編成用糸
８    ベース組織部
９    滑り止め組織部編成用糸
１０  滑り止め組織部
１１  後身頃
１２  背部
１３  臀部
１４  脇の下
１５  ウェスト回り
１６  バスト支持片
１７  カップ部材
１８  ポケット部
１９  脇部
２１  縫付け糸
Ａ    ボディスーツ
Ｂ    ブラジャー
Ｃ    キャミソール
Ｄ    ウェストニッパー
Ｅ    ガードル
Ｇ１  編目組織柄
Ｇ２  編目組織柄
Ｉ    長手方向
Ｔ    コース方向
Ｕ    ウェル方向
【図１】
2005105427.tif 000003
【図２】
2005105427.tif 000004
【図３】
2005105427.tif 000005
【図４】
2005105427.tif 000006
【図５】
2005105427.tif 000007
【図６】
2005105427.tif 000008
【図７】
2005105427.tif 000009
【図８】
2005105427.tif 000010
【図９】
2005105427.tif 000011
【図１０】
2005105427.tif 000012
【図１１】
2005105427.tif 000013
【図１２】
2005105427.tif 000014
【図１３】
2005105427.tif 000015
【図１４】
2005105427.tif 000016
【図１５】
2005105427.tif 000017
【図１６】
2005105427.tif 000018